(57)【要約】【課題】掌からゴルフクラブ全体への面の意識がし易く、フェース面が正しい方向を向きながらより速いスイングを行えるように練習可能である練習用ゴルフクラブを提供する。【解決手段】練習用ゴルフクラブは、グリップ部１０と、シャフト部２０と、ヘッド部３０とからなる。グリップ部１０は、平面板状体からなり、その平面が掌と同じ向きになるように握ることが可能なものである。シャフト部２０は、グリップ部１０から延在し、グリップ部１０の平面板状体の平面と平行な平面を有する平面板状体からなり、シャフト部２０の平面の長手方向には撓み短辺方向には撓まないものである。ヘッド部３０は、ヘッド部３０のフェース面３１の水平方向の軸が、シャフト部２０の平面と平行である。【選択図】図１
0003221730.tif 000002
【実用新案登録請求の範囲】
【請求項１】
ゴルフクラブのスイングを練習するための練習用ゴルフクラブであって、該練習用ゴルフクラブは、
平面板状体からなるグリップ部であって、その平面が掌と同じ向きになるように握ることが可能なグリップ部と、
前記グリップ部から延在し、グリップ部の平面板状体の平面と平行な平面を有する平面板状体からなるシャフト部であって、該シャフト部の平面の長手方向には撓み短辺方向には撓まない、シャフト部と、
前記シャフト部の先端に接続されゴルフボールを打つことが可能なヘッド部であって、該ヘッド部のフェース面の水平方向の軸が、シャフト部の平面と平行である、ヘッド部と、
を具備することを特徴とする練習用ゴルフクラブ。
【請求項２】
請求項１に記載の練習用ゴルフクラブにおいて、前記グリップ部及びシャフト部は、それらの平面が面一であることを特徴とする練習用ゴルフクラブ。
【請求項３】
請求項１又は請求項２に記載の練習用ゴルフクラブにおいて、前記グリップ部及びシャフト部は、一体成型されることを特徴とする練習用ゴルフクラブ。
【請求項４】
請求項１乃至請求項３の何れかに記載の練習用ゴルフクラブにおいて、前記グリップ部及びシャフト部は、カーボン繊維を用いてなることを特徴とする練習用ゴルフクラブ。
【請求項５】
請求項１乃至請求項４の何れかに記載の練習用ゴルフクラブにおいて、前記グリップ部及び／又はシャフト部は、表面と裏面の色が異なることを特徴とする練習用ゴルフクラブ。
【請求項６】
請求項１乃至請求項５の何れかに記載の練習用ゴルフクラブにおいて、前記シャフト部は、スイングの際に風切り音を鳴らす笛部を有することを特徴とする練習用ゴルフクラブ。
【請求項７】
請求項１乃至請求項６の何れかに記載の練習用ゴルフクラブにおいて、前記グリップ部は、握る位置の目安となる目印を有することを特徴とする練習用ゴルフクラブ。
【請求項８】
請求項１乃至請求項７の何れかに記載の練習用ゴルフクラブにおいて、前記グリップ部は、握る指の位置に合わせて窪みを有することを特徴とする練習用ゴルフクラブ。
【考案の詳細な説明】
【技術分野】
【０００１】
本考案は練習用ゴルフクラブに関し、特に、スイングの練習に適した練習用ゴルフクラブに関する。
【背景技術】
【０００２】
ゴルフクラブのスイングには、種々の局面があり、それぞれの局面で正しく動作することで、正確なスイングが可能となる。スイングの局面としては、セットアップ、テイクバック、バックスイング、トップ、切り返し、ダウンスイング、インパクト、手首の返し、フォロースルー、そしてフィニッシュと多岐にわたり、非常に複雑な動作となっている。
【０００３】
このようなスイングにおいては、ゴルフクラブのヘッドが正しい弧を描くことと、ヘッドのフェース面が正しい方向を向いていることが重要となる。また、より遠くにゴルフボールを飛ばすためには、より速くゴルフボールを打つことが必要となり、これにはシャフトのしなりを利用することも重要である。しかしながら、一般的なゴルフクラブでは、円形のグリップ、円形のシャフトが用いられているため、フェース面やシャフトのしなりを感じることは難しかった。
【０００４】
例えば、シャフトのしなりを感じやすくするために、板状のシャフトを用いてシャフトの最大限にしなる方向を一定にし、正しいヘッドの軌道やフェース面の角度、テイクバックの取り方、トップのあり方、ダウンスイング、手首の返しやフォロースルーにおけるスイング動作を体得させようとしたゴルフ練習用クラブとして、特許文献１がある。
【先行技術文献】
【特許文献】
【０００５】
【特許文献１】実開昭５０−３２０６０号公報
【考案の概要】
【考案が解決しようとする課題】
【０００６】
しかしながら、特許文献１のゴルフ練習用クラブは、シャフトのしなりを利用するには良いが、セットアップ時からフェース面を意識することや、掌からゴルフクラブ全体への面の意識がしづらいものであった。このため、より正しいスイングの練習に適した練習用ゴルフクラブの開発が望まれていた。
【０００７】
本考案は、斯かる実情に鑑み、掌からゴルフクラブ全体への面の意識がし易く、フェース面が正しい方向を向きながらより速いスイングを行えるように練習可能である練習用ゴルフクラブを提供しようとするものである。
【課題を解決するための手段】
【０００８】
上述した本考案の目的を達成するために、本考案による練習用ゴルフクラブは、平面板状体からなるグリップ部であって、その平面が掌と同じ向きになるように握ることが可能なグリップ部と、グリップ部から延在し、グリップ部の平面板状体の平面と平行な平面を有する平面板状体からなるシャフト部であって、該シャフト部の平面の長手方向には撓み短辺方向には撓まない、シャフト部と、シャフト部の先端に接続されゴルフボールを打つことが可能なヘッド部であって、該ヘッド部のフェース面の水平方向の軸が、シャフト部の平面と平行である、ヘッド部と、を具備するものである。
【０００９】
ここで、グリップ部及びシャフト部は、それらの平面が面一であれば良い。
【００１０】
また、グリップ部及びシャフト部は、一体成型されるものであれば良い。
【００１１】
また、グリップ部及びシャフト部は、カーボン繊維を用いてなるものであっても良い。
【００１２】
また、グリップ部及び／又はシャフト部は、表面と裏面の色が異なるものであっても良い。
【００１３】
また、シャフト部は、スイングの際に風切り音を鳴らす笛部を有するものであっても良い。
【００１４】
また、グリップ部は、握る位置の目安となる目印を有するものであっても良い。
【００１５】
また、グリップ部は、握る指の位置に合わせて窪みを有するものであっても良い。
【考案の効果】
【００１６】
本考案の練習用ゴルフクラブには、掌からゴルフクラブ全体への面の意識がし易く、フェース面が正しい方向を向きながらより速いスイングを行えるように練習可能であるという利点がある。
【図面の簡単な説明】
【００１７】
【図１】図１は、本考案の練習用ゴルフクラブを説明するための概略斜視図である。
【図２】図２は、本考案の練習用ゴルフクラブを説明するための概略側面図である。
【図３】図３は、本考案の練習用ゴルフクラブの応用例を説明するための概略図である。
【図４】図４は、本考案の練習用ゴルフクラブの他の応用例を説明するための概略側面図である。
【図５】図５は、本考案の練習用ゴルフクラブのグリップ部の応用例を説明するための概略側面図である。
【図６】図６は、本考案の練習用ゴルフクラブのグリップ部の他の応用例を説明するための概略側面図である。
【考案を実施するための形態】
【００１８】
以下、本考案を実施するための形態を図示例と共に説明する。図１は、本考案の練習用ゴルフクラブを説明するための概略斜視図である。また、図２は、本考案の練習用ゴルフクラブを説明するための概略側面図である。図中、図１と同一の符号を付した部分は同一物を表している。図示の通り、本考案の練習用ゴルフクラブは、ゴルフクラブのスイングを練習するためのものであり、グリップ部１０と、シャフト部２０と、ヘッド部３０とから主に構成されるものである。
【００１９】
グリップ部１０は、平面板状体からなるものである。ここで、平面板状体とは、厚さ方向に薄く、面方向に面積の広い平行な対向面を有するものである。グリップ部１０は、その平面が掌と同じ向きになるように握ることが可能なものであれば良い。グリップ部１０を握りセットアップした際には、厚さ方向が見え平面が見えないように握る。即ち、掌と同じ向きにグリップ部１０の平面が揃うように握れば良い。グリップ部１０が平面板状体であるため、テイクバックやスイング時に捻る動作があると、平面板状体の角が腕等に当たるためフィードバックしやすくなる。そして、掌と同じ向きにグリップ部１０の平面が揃うように正しく握るイメージが持ちやすくなり、また、掌とフェース面３１の向きのイメージがシンクロしやすくなる。
【００２０】
シャフト部２０は、グリップ部１０から延在するものである。シャフト部２０は、グリップ部１０の平面板状体の平面と平行な平面を有する平面板状体からなるものであれば良い。シャフト部２０は、その平面の長手方向には撓み、短辺方向には撓まないものであれば良い。即ち、シャフト部２０は、図２に示される通り、図面上、上下に撓み前後には撓まないものである。使用者から見ると、横方向には撓み、縦方向には撓まないことになる。また、図示例のように、グリップ部１０及びシャフト部２０は、それらの平面が面一であれば良い。即ち、グリップ部１０及びシャフト部２０は、１枚の平面板状体からなるものであれば良い。なお、本考案の練習用ゴルフクラブは、これに限定されず、例えばグリップ部１０のほうが厚みが厚く、シャフト部２０のほうが厚みが薄くなるように構成されても良い。また、グリップ部１０及びシャフト部２０は、別体で構成されても良いが、耐久性等を考慮すると一体成型されることが好ましい。
【００２１】
ここで、グリップ部１０やシャフト部２０は、ある程度撓む材質からなるものであれば良い。例えば、グリップ部１０及びシャフト部２０は、カーボン繊維を用いてなるものであれば良い。例えば、樹脂等の心材にカーボン繊維を貼付するものであっても良い。カーボン繊維を用いることで、軽くしなやかに撓むように構成可能である。また、ステンレス鋼等の金属製であっても良い。撓む量は、用いる材料や平面板状体の幅で適宜調整すれば良い。本考案の練習用ゴルフクラブでは、グリップ部１０やシャフト部２０は、平面の長手方向には撓み、短辺方向には撓まないように構成可能なものであれば、特定の材質に限定されるものではない。
【００２２】
ヘッド部３０は、シャフト部２０の先端に接続されゴルフボールを打つことが可能なものである。即ち、本考案の練習用ゴルフクラブは、単なる素振り練習のみならず、実際にゴルフボールを打つことが可能なように構成されている。図氏の一点鎖線で示されるように、ヘッド部３０は、そのフェース面３１の水平方向の軸が、シャフト部２０の平面と平行であるように構成されている。即ち、ヘッド部３０のロフト角については問わず、フェース角がシャフト部２０の平面に対して０度となるように構成されれば良い。なお、ヘッド部３０は、ウッドやアイアン、パター等、一般的なゴルフクラブで使用されるヘッド形状であれば良い。また、ヘッド部３０を交換可能に構成しても良い。
【００２３】
通常のゴルフクラブは円柱状のグリップ部及びシャフト部からなり、ヘッド部のみが唯一面が存在するものであり、スイング中に面をイメージしづらい。しかしながら、上述のように構成された本考案の練習用ゴルフクラブは、グリップ部１０からシャフト部２０、ヘッド部３０にわたって面を意識しやすくなるため、スイングの際に面をイメージすることが可能となり、力を加える方向が意識し易くなる。したがって、掌からゴルフクラブ全体への面の意識がし易く、フェース面３１が正しい方向を向きながらスイングすることが可能となる。また、グリップ部１０からシャフト部２０が共に平面板状体であるため、縦方向には殆ど撓まず、横方向に大きく撓むため、シャフト部２０のしなりを利用したスイングを体得しやすくなる。また、縦方向には撓まないため縦方向の手首の動きを抑えることが可能となるため、正しいスイングを身に着けやすくなる。したがって、フェース面３１が正しい方向を向きながらより速いスイングを行うことが可能となる。
【００２４】
次に、図３を用いて本考案の練習用ゴルフクラブの応用例について説明する。図３は、本考案の練習用ゴルフクラブの応用例を説明するための概略図であり、図３（ａ）が表側面図であり、図３（ｂ）が裏側面図である。図中、図１と同一の符号を付した部分は同一物を表している。図示の通り、本考案の練習用ゴルフクラブにおいて、グリップ部１０やシャフト部２０が、表面と裏面の色が異なるように構成されていても良い。例えば、表面を白色に、裏面を赤色に着色すれば良い。セットアップの際やインパクトの際には、フェース面３１をゴルフボールに対して垂直に向けることが必要となる。即ち、グリップ部１０やシャフト部２０も、ゴルフボールに対して垂直に向くことになる。したがって、ゴルフクラブが正しい向きになっていれば、平面板状体の表面や裏面は見えず、厚み方向の端面のみが見えるはずである。捻りが入る等で向きが悪い場合には、表側や裏側の色が見えてしまう。例えば、白色が見えた場合には外側に捻ってしまっている状態、赤色が見えた場合には内側に捻ってしまっている状態ということが把握できる。したがって、より面のイメージを強く持つことが可能となり、フェース面が正しい方向を向きながらよりスイングを行えるように練習可能である。なお、図示例ではグリップ部１０もシャフト部２０も同色に着色したものを示したが、本考案はこれに限定されず、例えばシャフト部２０のみを着色したものであっても良い。
【００２５】
さらに、図４を用いて本考案の練習用ゴルフクラブの他の応用例について説明する。図４は、本考案の練習用ゴルフクラブの他の応用例を説明するための概略側面図である。図中、図１と同一の符号を付した部分は同一物を表している。図示の通り、本考案の練習用ゴルフクラブにおいて、シャフト部２０が、スイングの際に風切り音を鳴らす笛部２１を有するように構成されていても良い。例えば、笛部２１は、スイング速度やシャフト部２０の平面板状体の面の向きに応じて音が変わるような笛が埋め込まれていれば良い。これにより、ゴルフクラブが正しい向きで正しい速度で振れたことを、音によっても把握することが可能となる。したがって、フェース面が正しい方向を向きながらより速いスイングを行えるように練習可能である。
【００２６】
また、本考案の練習用ゴルフクラブのグリップ部１０は、握る位置の目安となる目印を有するものであっても良い。図５は、本考案の練習用ゴルフクラブのグリップ部の応用例を説明するための概略側面図である。図中、図１と同一の符号を付した部分は同一物を表している。図示の通り、本考案の練習用ゴルフクラブにおいて、グリップ部１０が、目盛り１１を有するものであっても良い。目盛り１１は、グリップ部１０を握る位置の目安となる目印となるものである。目盛り１１を参照しながら握ることで、握る位置を変えた際のスイングの違い等を把握可能となり、より正確なスイング練習が可能となる。なお、本考案は図示例のような目盛りには限定されず、握る位置の目安となる目印であれば、点や指模様等、如何なるものであっても良い。
【００２７】
また、本考案の練習用ゴルフクラブのグリップ部１０は、図１等に示される通り、平面板状体で長方形状であっても良いが、より握りやすく構成されても良い。図６は、本考案の練習用ゴルフクラブのグリップ部の他の応用例を説明するための概略側面図である。図中、図１と同一の符号を付した部分は同一物を表している。図示の通り、本考案の練習用ゴルフクラブにおいて、グリップ部１０が、握る指の位置に合わせて窪み１２を有するものであっても良い。窪み１２は、グリップ部１０を握る際に指が掛かる位置に設けられれば良い。これにより、正しい位置でグリップ部１０を握ることが可能となる。
【００２８】
なお、本考案の練習用ゴルフクラブは、上述の図示例にのみ限定されるものではなく、本考案の要旨を逸脱しない範囲内において種々変更を加え得ることは勿論である。
【符号の説明】
【００２９】
１０    グリップ部
１１    目盛り
１２    窪み
２０    シャフト部
２１    笛部
３０    ヘッド部
３１    フェース面
【図１】
0003221730.tif 000003
【図２】
0003221730.tif 000004
【図３】
0003221730.tif 000005
【図４】
0003221730.tif 000006
【図５】
0003221730.tif 000007
【図６】
0003221730.tif 000008